(57)【特許請求の範囲】
【請求項１】
薬剤の薬剤識別コードと薬剤名、およびそれぞれの薬剤が有する副作用の副作用コードをファイルした薬剤ファイルと、前記副作用コードに表される副作用の具体的内容をファイルした副作用ファイルとを記憶させた記憶装置と、入力装置により入力された複数の薬剤識別コードを元に前記薬剤ファイルと副作用ファイルを検索手段を用いて自動算出により検索してそれぞれの入力された薬剤識別コードに一致した副作用コードによる副作用データを抽出し、抽出された前記副作用コードによるデータを表示装置または印刷装置により表示しまたは出力する制御装置を有するコンピュータを利用した薬剤の副作用重複検査システムにおいて、前記記憶装置に記憶させた前記副作用コードは、少なくとも副作用の出現部位を記号で表した出現部位コードと副作用の初期症状を記号で表した初期症状コードを有しており、前記入力された複数の薬剤識別コードを元にして前記薬剤ファイルを検索して対応する副作用コードを検索したとき、前記入力された複数の薬剤間の出現部位コードまたは初期症状コードの重複関係を前記表示装置に表示しまたは印刷装置により出力することを特徴とする薬剤の副作用重複検査システム。
【発明の詳細な説明】
【０００１】
【発明の属する技術分野】
本発明は、一人の患者に対して同時期に複数の薬剤が処方された場合に、同じ副作用を有する薬剤が重複しているかどうかを検査するシステムに関するものである。
【０００２】
【従来の技術】
薬剤は、通常、複数の効能と副作用とを有しており、医師または薬剤師は、処方される薬剤の効能および起こりうる副作用の初期症状や対処等について適切な説明をすることによって、患者が自己監視しながら正しく服薬し、危険を回避できるようにすることが必要である。
【０００３】
また、患者は、殊に内科系疾患等においては、一度に複数の薬剤を処方されることが多いが、併用薬剤の数が増えると副作用が重複する確率が高くなる。そして、単独では稀にしか起こらない副作用でも、重複することによって症状が現れる可能性が高くなり、場合によっては、ＱＯＬが悪化するような重篤な症状が出現することもある。
【０００４】
【発明が解決しようとする課題】
しかしながら、従来より、重篤な副作用の出現を防止するために、薬剤の併用禁忌に関しては薬剤に関する書籍等に記載されており、処方時に確認されているが、薬剤併用時における副作用の重複については、ほとんどチェックされていなかった。
【０００５】
しかも、膨大な数の薬剤の副作用を、全て人の記憶のみで確認することは極めて困難であるため、副作用の重複をチェックするシステムが必要であった。
【０００６】
【課題を解決するための手段】
そこで、前記課題を解決するためになされた本発明は、薬剤の薬剤識別コードと薬剤名、およびそれぞれの薬剤が有する副作用の副作用コードをファイルした薬剤ファイルと、前記副作用コードに表される副作用の具体的内容をファイルした副作用ファイルとを記憶させた記憶装置と、入力装置により入力された複数の薬剤識別コードを元に前記薬剤ファイルと副作用ファイルを検索手段を用いて自動算出により検索してそれぞれの入力された薬剤識別コードに一致した副作用コードによる副作用データを抽出し、抽出された前記副作用コードによるデータを表示装置または印刷装置により表示しまたは出力する制御装置を有するコンピュータを利用した薬剤の副作用重複検査システムにおいて、前記記憶装置に記憶させた前記副作用コードは、少なくとも副作用の出現部位を記号で表した出現部位コードと副作用の初期症状を記号で表した初期症状コードを有しており、前記入力された複数の薬剤識別コードを元にして前記薬剤ファイルを検索して対応する副作用コードを検索したとき、前記入力された複数の薬剤間の出現部位コードまたは初期症状コードの重複関係を前記表示装置に表示しまたは印刷装置により出力することを特徴とする。
【０００７】
副作用の内容をコード化することによって、複数の薬剤が有する副作用を自動算出し、重複の有無、特にどの薬剤がどのような内容の副作用を重複しているかを表示することができるので、迅速且つ確実に副作用の重複をチェックすることができる。
【０００８】
【発明の実施の形態】
本発明の実施の形態を図面に基づいて説明する。
【０００９】
図１は本発明のハードウェア構成の一例を示す図である。
【００１０】
制御部２１に接続して設けられた記憶装置１２には、薬剤の識別コードと薬剤名、副作用コードに表される副作用の具体的内容を記憶した副作用ファイル１４とからなるデータベースが格納されている。
【００１１】
また、制御部２１には、制御部２１へデータ入力するための例えばキーボードやタッチペンなどの入力装置２３と、制御部２１によってデータ処理された内容を表示するモニタ等の表示装置ならびに必要に応じて、表示装置２２に表示された内容を印刷可能な印刷装置２４が接続されている。
【００１２】
そして、副作用コードは、その症状が出現する臓器および初期症状を示す記号に基準として表される。図２は、５桁の数字からなる副作用コードの一例であり、最初の２桁は副作用が出現する臓器を示す出現臓器コード、次の２桁は初期症状コード、更に下１桁目は、他の４桁が等しいが例えば病変部位に違いがある場合のように、異なる副作用として定義されるものを識別するための識別コードとして表されたものである・副作用コードの表し方は図２の例に限るものではなく、数字やアルファベット等の記号によって、出現臓器および初期症状毎に異なる記号で表したものが用いられる。
【００１３】
以下、本発明を用いて副作用の重複をチェックする手順を、図３に従って説明する。
【００１４】
一人の患者に対して同時に複数の薬剤が処方された場合、それらの薬剤の識別コードを、入力装置２３を用いて全て入力する。次に、副作用のうち、出現臓器または初期症状のいずれに関する重複をチェックするかを決める。即ち、副作用コードの何桁目が一致した場合に副作用が重複していると判断するかを指定し、その桁数を入力する。全ての症状が一致する場合だけをチェックする場合には、全ての桁を指定し、特定の臓器や、初期症状のみの重複をチェックしたいときには、それらを表す桁 を指定して入力する。
【００１５】
すると、制御部２１に設けられた検出装置によって、入力された各薬剤に関する副作用が検索され、その結果が表示装置２２に表示される。図４はモニタ２２に表示される画面の一例を示したものであり、表示装置２２に表示された画面の左部に、処方された薬剤が一覧表示され、中央にはそれらの薬剤が有する副作用の全ての副作用コードが、それぞれの副作用が出現する可能性のある薬剤の数とともに表示されている。そして、表示された副作用コードの任意の行にカーソルを合わせると、画面の右上部に、その副作用コードが表す副作用の内容を、更に画面の右下部には、その副作用を有する薬剤名が全て表示され、どの薬剤がどのような内容の副作用を重複しているかがわかるようにされている。
【００１６】
従って、従来の併用禁忌のチェックに加えて、上記のチェックを行うことによって、副作用が重複している薬剤の投薬を中止したり、他の薬剤に変更したりして、副作用の重複を回避して重篤な副作用が起こりにくくなるように処方することができる。また、薬剤師が、投薬前に上記のチェックを行うことによって、更に患者への安全性を確実なものにすることができる。
【００１７】
【発明の効果】
本発明によると、副作用の内容をコードで表すことによって、各薬剤が有する副作用をデータベース化し、複数の薬剤の中から、重複する副作用があるかどうかを自動算出して迅速且つ確実にチェックすることができる。
【００１８】
従って、同時期に複数の薬剤を処方される患者が、副作用の重複によって、症状が現れたり、ＱＯＬが悪化するような重篤な症状に陥ることを事前に防ぐことができる。
【００１９】
特に、各薬剤が有する副作用をデータベース化しているため、データの追加、変更。削除が極めて迅速且つ容易であり、緊急情報にも即座に対応することができる。
【図面の簡単な説明】
【図１】  本発明の実施の形態を示すシステム概略図である。
【図２】  本発明で用いられる副作用コードの一例を示す図である。
【図３】  本発明の実施の形態を示す流れ図である。
【図４】  本発明の操作画面の一例を示す図である。
【符号の説明】
１２  記憶装置、１３  薬剤ファイル、１４  副作用ファイル、２１  制御部、２２  表示装置、２３  入力装置
【図１】
0004341155.tif 000002
【図２】
0004341155.tif 000003
【図３】
0004341155.tif 000004
【図４】
0004341155.tif 000005